(57)【要約】  電池用の電気化学セルの製造方法は、単一の電気化学セルについて、少なくとも１つの後続の処理ステップ（Ｓ５）を決定するために、単一の検査対象の電気化学セルのパラメータデータ（ＤＰａｒ．）を検出するステップ（Ｓ１）と、パラメータデータ（ＤＰａｒ．）を制御部に伝送するステップ（Ｓ２）と、電気化学セルをパラメータデータ（ＤＰａｒ．）に割り当て、好適にはパラメータデータ（ＤＰａｒ．）を電気化学セルに保存するステップ（Ｓ３）と、制御部を用いて、パラメータデータに割り当てられた電気化学セルについて、パラメータデータ（ＤＰａｒ．）の所定のパラメータ値（ＷＰａｒ．、ＷＰａｒ．１、ＷＰａｒ．２、ＷＰａｒ．３、ＷＰａｒ．４、ＷＰａｒ．５）に対する所定の関係が存在するか否かを決定し、パラメータデータ（ＤＰａｒ．）の所定のパラメータ値（ＷＰａｒ．、ＷＰａｒ．１、ＷＰａｒ．２、ＷＰａｒ．３、ＷＰａｒ．４、ＷＰａｒ．５）に対する所定の関係が存在すると決定された場合に、電気化学セルの第１の所定の処理ステップを実行し、好適には、パラメータデータ（ＤＰａｒ．）の所定のパラメータ値（ＷＰａｒ．、ＷＰａｒ．１、ＷＰａｒ．２、ＷＰａｒ．３、ＷＰａｒ．４、ＷＰａｒ．５）に対する所定の関係が存在しないと決定された場合に、電気化学セルの第２の所定の処理ステップを実行するステップ（Ｓ４）と、を備える。
2014517464.tif 000002
【特許請求の範囲】
【請求項１】
電池用、特に、自動車用途のために構成される電池用の電気化学セルの製造方法であって、
単一の電気化学セルについて、少なくとも１つの後続の処理ステップ（Ｓ５）を決定するために、前記単一の検査対象の電気化学セルのパラメータデータ（ＤＰａｒ．）を検出するステップ（Ｓ１）と、
前記パラメータデータ（ＤＰａｒ．）を制御部に伝送するステップ（Ｓ２）と、
前記パラメータデータ（ＤＰａｒ．）を前記電気化学セルに割り当て、好適には前記パラメータデータ（ＤＰａｒ．）を前記単一の電気化学セルに属するものとして保存するステップ（Ｓ３）と、
前記制御部を用いて、前記パラメータデータに割り当てられた前記電気化学セルについて、前記パラメータデータ（ＤＰａｒ．）の所定のパラメータ値（ＷＰａｒ．、ＷＰａｒ．１、ＷＰａｒ．２、ＷＰａｒ．３、ＷＰａｒ．４、ＷＰａｒ．５）に対する所定の関係が存在するか否かを決定するステップ（Ｓ４）と、
前記パラメータデータ（ＤＰａｒ．）の前記所定のパラメータ値（ＷＰａｒ．、ＷＰａｒ．１、ＷＰａｒ．２、ＷＰａｒ．３、ＷＰａｒ．４、ＷＰａｒ．５）に対する前記所定の関係が存在すると決定された場合に、前記電気化学セルの第１の所定の処理ステップを実行し、好適には、前記パラメータデータ（ＤＰａｒ．）の前記所定のパラメータ値（ＷＰａｒ．、ＷＰａｒ．１、ＷＰａｒ．２、ＷＰａｒ．３、ＷＰａｒ．４、ＷＰａｒ．５）に対する前記所定の関係が存在しないと決定された場合に、前記電気化学セルの第２の所定の処理ステップを実行するステップ（Ｓ５）と、
を備えることを特徴とする電気化学セルの製造方法。
【請求項２】
請求項１に記載の電気化学セルの製造方法であって、前記パラメータデータ（ＤＰａｒ．）の前記検出するステップ（Ｓ１）が、
圧力の付加後の前記電気化学セルの内部抵抗の変化を検出し、特に、好適には平坦に構成される前記電気化学セルの側面に対する圧力の付加後の内部抵抗の変化を検出するステップ（Ｓ１ａ）、
前記電気化学セルの内部抵抗を検出するステップ（Ｓ１ｂ）、
前記電気化学セルの内圧を検出するステップ（Ｓ１ｃ）、
前記電気化学セルの開路電圧を検出するステップ（Ｓ１ｄ）、
前記電気化学セルの容量を検出するステップ（Ｓ１ｅ）、または
Ｘ線法を用いて前記電気化学セルの内部構造を検出するステップ（Ｓ１ｆ）のうちの少なくとも１つを備えることを特徴とする電気化学セルの製造方法。
【請求項３】
請求項１または２に記載の電気化学セルの製造方法であって、前記制御部を用いた前記決定するステップ（Ｓ４）が、
伝送された前記パラメータデータ（ＤＰａｒ．）が所定の第１のパラメータ値（ＷＳｗｔ．１）を有しているか否かを決定するステップ（Ｓ４ａ）、
伝送された前記パラメータデータ（ＤＰａｒ．）が所定の第２のパラメータ値（ＷＳｗｔ．２）を有していないか否かを決定するステップ（Ｓ４ｂ）、
伝送された前記パラメータデータ（ＤＰａｒ．）が所定の第３のパラメータ値（ＷＳｗｔ．３）を上回っているか否かを決定するステップ（Ｓ４ｃ）、
伝送された前記パラメータデータ（ＤＰａｒ．）が所定の第４のパラメータ値（ＷＳｗｔ．４）を下回っているか否かを決定するステップ（Ｓ４ｄ）、または
伝送されたパラメータデータ（ＤＰａｒ．）が所定の第５のパラメータ値（ＷＳｗｔ．５）から所定のパラメータ値範囲内にあるか否かを決定するステップ（Ｓ４ｅ）のうちの少なくとも１つを備えることを特徴とする電気化学セルの製造方法。
【請求項４】
請求項１から３のいずれか一項に記載の電気化学セルの製造方法であって、前記電気化学セルの第１の所定の処理ステップを実行するステップ（Ｓ５）、および／または前記電気化学セルの第２の所定の処理ステップを実行するステップ（Ｓ５ｚ）が、
少なくとも１つの前記決定するステップ（Ｓ４、Ｓ４ａ、Ｓ４ｂ、Ｓ４ｃ、Ｓ４ｄ、Ｓ４ｅ）の結果に応じて、前記電気化学セルの少なくとも１つの所定の充電処理を選択および実行するステップ（Ｓ５ａ）、
少なくとも１つの前記決定ステップ（Ｓ４、Ｓ４ａ、Ｓ４ｂ、Ｓ４ｃ、Ｓ４ｄ、Ｓ４ｅ）の結果に応じて、前記電気化学セルの少なくとも１つの所定の硬化処理を選択および実行するステップ（Ｓ５ｂ）、
少なくとも１つの前記決定ステップ（Ｓ４、Ｓ４ａ、Ｓ４ｂ、Ｓ４ｃ、Ｓ４ｄ、Ｓ４ｅ）の結果に応じて、前記電気化学セルの少なくとも１つの所定の安置処理を選択および実行するステップ（Ｓ５ｃ）、
少なくとも１つの前記決定ステップ（Ｓ４、Ｓ４ａ、Ｓ４ｂ、Ｓ４ｃ、Ｓ４ｄ、Ｓ４ｅ）の結果に応じて、前記電気化学セルの少なくとも１つの所定の成形処理を選択および実行するステップ（Ｓ５ｄ）、
少なくとも１つの前記決定ステップ（Ｓ４、Ｓ４ａ、Ｓ４ｂ、Ｓ４ｃ、Ｓ４ｄ、Ｓ４ｅ）の結果に応じて、前記電気化学セルの少なくとも１つの所定の圧廷処理を選択および実行するステップ（Ｓ５ｅ）、
少なくとも１つの前記決定ステップ（Ｓ４、Ｓ４ａ、Ｓ４ｂ、Ｓ４ｃ、Ｓ４ｄ、Ｓ４ｅ）の結果に応じて、前記電気化学セルの少なくとも１つの所定の塗布処理を選択および実行するステップ（Ｓ５ｆ）、
少なくとも１つの前記決定ステップ（Ｓ４、Ｓ４ａ、Ｓ４ｂ、Ｓ４ｃ、Ｓ４ｄ、Ｓ４ｅ）の結果に応じて、前記電気化学セルの少なくとも１つの所定の拭き取り処理を選択および実行するステップ（Ｓ５ｇ）、
少なくとも１つの前記決定ステップ（Ｓ４、Ｓ４ａ、Ｓ４ｂ、Ｓ４ｃ、Ｓ４ｄ、Ｓ４ｅ）の結果に応じて、前記電気化学セルの少なくとも１つの所定の掻き取り処理を選択および実行するステップ（Ｓ５ｈ）、または
少なくとも１つの前記決定ステップ（Ｓ４、Ｓ４ａ、Ｓ４ｂ、Ｓ４ｃ、Ｓ４ｄ、Ｓ４ｅ）の結果に応じて、前記電気化学セルの少なくとも１つの所定のガス抜き処理を選択および実行するステップ（Ｓ５ｉ）のうちの少なくとも１つを備えることを特徴とする電気化学セルの製造方法。
【請求項５】
請求項１から４のいずれか一項に記載の製造方法によって製造された、多数の電気化学セルを有する電池。
【発明の詳細な説明】
【技術分野】
【０００１】
本発明は、電気化学セルの製造方法、およびこの方法に従って製造された多数の電気化学セルを有する電池に関する。
【背景技術】
【０００２】
以下では電気化学セル、またはガルバニセルとも称する電気化学的エネルギー蓄積器は、積層可能なユニットの形態で製造されることが多く、これらのユニットから、複数のそのようなセルを結合することによって、多様な用途の、特に、電動自動車用の電池を製造することができる。なお、本発明を自動車での使用に関して説明するが、この種の方法およびこれに従って構成される電気化学セルは、自動車から独立して、例えば定置用途においても運用することができる。
【０００３】
従来技術より、様々な電気化学セルの製造方法、これに従った電気化学セル、および多数の電気化学セルを有する電池が知られている。
【０００４】
優先出願ＤＥ１０２０１１１０１７９５の全内容は、本明細書において参照されることにより、本出願の一部となる。
【発明の概要】
【発明が解決しようとする課題】
【０００５】
本発明は、改善された電気化学セルの製造方法、およびこれに従って製造された多数の電気化学セルを有する電池を提供するという課題に基づいている。
【課題を解決するための手段】
【０００６】
この課題は、請求項１に記載の電気化学セルの製造方法、および請求項７に記載の電池によって解決される。従属請求項は本発明の有利な発展形態に関連している。
【０００７】
この課題は、電池用、特に自動車用途のために構成される電池用の電気化学セルの製造方法において、単一の電気化学セルについて、少なくとも１つの後続の処理ステップを決定するために、単一の検査対象の電気化学セルのパラメータデータを検出するステップと、パラメータデータを制御部に伝送するステップと、電気化学セルをパラメータデータに割り当て、好適にはパラメータデータを電気化学セルに保存するステップと、制御部を用いて、パラメータデータに割り当てられた電気化学セルについて、パラメータデータの所定のパラメータ値に対する所定の関係が存在するか否かを決定し、パラメータデータの所定のパラメータ値に対する所定の関係が存在すると決定された場合に、電気化学セルの第１の所定の処理ステップを実行し、好適には、パラメータデータの所定のパラメータ値に対する所定の関係が存在しないと決定された場合に、電気化学セルの第２の所定の処理ステップを実行するステップと、を備えた製造方法によって解決される。この方法の利点は、単一のセルについて、第１の処理の後に、製造方法においてセルの品質および生産量を向上させ得る後続の処理ステップに的を絞って決定することができる、ということにある。
【０００８】
電気化学セルを製造するには、まず、電極およびセパレータを有する電極組立品を作製し、この電極組立品を被覆するが、その際、セパレータが電解質なしで加工されていれば、場合によってはこの後に電解質を加えることもある。続いて、好適には電気化学セルの呼び容量の４７％、あるいは３．６５Ｖのセル電圧までの電気化学セルの充電、および、例えば硬化、圧延、塗布、剥離、掻き取り、安置、焼戻し、成形、またはガス抜きのような加工ステップが行われることがある。続いて、例えば、品質あるいは生産量の向上のためのさらなる処理ステップを決定するためのパラメータデータの検出が行われ、その結果、場合によっては例えば硬化、圧延、塗布、剥離、掻き取り、安置、焼戻し、成形、またはガス抜きのようなさらなる処理が行われることもある。
【０００９】
電気化学セルは、この文脈では電気化学的エネルギー蓄積器、つまり、エネルギーを、化学的形態で蓄積し、電気的形態で負荷に供給し、好適にはまた電気的形態で充電装置から受容することができる装置として理解すべきである。このような電気化学エネルギー蓄積器の重要な例として、ガルバニセルまたは燃料セルが挙げられる。電気化学セルは、少なくとも、異なる電荷を蓄積するための第１および第２の装置、およびこれらの両装置を動作可能に電気接続するための手段を備えており、これら両装置の間で電荷を移動させることができる。動作可能に電気接続するための手段は、例えばイオン伝導体として作用する電解質として理解される。
【００１０】
パラメータデータは、この文脈では複数のパラメータデータのみならず、場合によっては単一のパラメータデータとしても理解すべきである。したがって、所定のパラメータ値は、この文脈では多数の所定のパラメータ値のみならず、場合によっては単一の所定のパラメータ値としても理解すべきである。
【００１１】
電気化学セルの製造方法において、パラメータデータの検出ステップが、好適には平坦に構成される電気化学セルの、特に側面に対する圧力の付加後の、電気化学セルの内部抵抗の変化を検出するステップを備えていれば有利であることが分かっている。電気化学セルの側面に対する圧力の付加後の電気化学セルの内部抵抗の変化は、電気化学セルの品質を評価する、あるいはこの電気化学セルの後続の処理ステップを決定するための好ましいパラメータであることが分かっている。検査対象の電気化学セルに対して外部から機械的圧力が付加されると、この電気化学セルはその剛性に応じて変形し、それにより、外部圧力の付加後に電気化学セルの内部抵抗の変化が生じるが、この変化は電気化学セルの状態に対して所定の関係にある。比較的硬く、その内部抵抗が側面に対する圧力の付加後にほとんど変化しない電気化学セルは、封止後にもはやガス抜けしない。したがって、圧力変化に対する内部抵抗の変化を介して、特に容易かつ確実に電気化学セルを様々な種類の品質に分類するとともに、品質を向上させるためのそれに応じた後続の処理ステップを行うことができる。これにより、例えば以下の関係式で品質を表すことができる。ここで、ｄＲｉは内部抵抗の変化、ｄＦは付加される力の変化である。
【００１２】
【数１】
2014517464.tif 000003
【００１３】
平坦な電気化学セルは、ここでは、基本的に平行である二面によってその外形が特徴付けられ、これらの面の互いからの垂直距離が、これらの面に対して平行に測定されたセルの平均長さよりも短い、電気化学セルとして理解すべきである。これらの面の間には、しばしばパッケージまたはセルハウジングによって覆われて、セルの電気化学的活性成分が配置される。このようなセルは、多層のフィルムパッケージで密閉されている場合が多く、このフィルムパッケージは、封止シームの領域においてフィルムパッケージを耐久的に接合または閉止することによって形成される封止シームを、セルパッケージの周縁部に備えている。この種のセルは、しばしばパウチセルまたはコーヒーバッグ型セルとも呼ばれる。
【００１４】
さらに、パラメータデータの検出ステップは、電気化学セルの内部抵抗を検出するステップ、電気化学セルの内圧を検出するステップ、電気化学セルの開路電圧を検出するステップ、電気化学セルの容量を検出するステップ、またはＸ線法を用いて電気化学セルの内部構造を検出するステップを備えていてもよい。
【００１５】
さらに、本発明による方法は、フォーマット化に適合したＧＩＴＴ法（ｇａｌｖａｎｏ−ｓｔａｔｉｃ  Ｉｎｔｅｒｍｉｔｔｅｎｔ  Ｔｉｔｒａｔｉｏｎ  Ｔｅｃｈｎｉｑｕｅ）と組み合わせた電気化学セルのフォーマット化の際にも使用することができる。
【００１６】
制御部を用いた決定ステップが、伝送されたパラメータデータが所定の第１のパラメータ値を有しているか否かを決定するステップ、および／または伝送されたパラメータデータが所定の第２のパラメータ値を有していないか否かを決定するステップのうちの少なくとも１つを備えていれば、有利であることが分かっている。
【００１７】
好ましくは、制御部を用いた決定ステップは、伝送されたパラメータデータが所定の第３のパラメータ値を上回っているか否かを決定するステップ、および／または伝送されたパラメータデータが所定の第４のパラメータ値を下回っているか否かを決定するステップのうちの少なくとも１つを備えている。
【００１８】
この他、制御部を用いた決定ステップは、パラメータデータが所定の第５のパラメータ値から少なくとも１つの所定のパラメータ値範囲内にあるか否かを決定するステップを備えていてもよい。
【００１９】
好ましくは、製造方法は、少なくとも１つの決定ステップの結果に応じて電気化学セルの少なくとも１つの所定の充電処理を選択および実行するステップ、少なくとも１つの決定ステップの結果に応じて電気化学セルの少なくとも１つの所定の硬化処理を選択および実行するステップ、少なくとも１つの決定ステップの結果に応じて電気化学セルの少なくとも１つの所定の安置処理を選択および実行するステップ、少なくとも１つの決定ステップの結果に応じて電気化学セルの少なくとも１つの所定の成形処理を選択および実行するステップ、少なくとも１つの決定ステップの結果に応じて電気化学セルの少なくとも１つの所定の圧延処理を選択および実行するステップ、少なくとも１つの決定ステップの結果に応じて電気化学セルの少なくとも１つの所定の塗布処理を選択および実行するステップ、少なくとも１つの決定ステップの結果に応じて電気化学セルの少なくとも１つの所定の拭き取り処理を選択および実行するステップ、少なくとも１つの決定ステップの結果に応じて電気化学セルの少なくとも１つの所定の掻き取り処理を選択および実行するステップ、または、少なくとも１つの決定ステップの結果に応じて電気化学セルの少なくとも１つの所定のガス抜き処理を選択および実行するステップ、のうちの少なくとも１つの後続の処理ステップを備えている。この構成の利点は、例えば、決定ステップによって電気化学セルの硬度が特に低いと確定された場合には、硬化の後続ステップを実行することができ、他方で、例えば、決定ステップによって電気化学セルが十分な硬度を有していると確定された場合には、後続の加工ステップを省略することができる、ということにある。
【００２０】
第２の態様によれば、その電気化学セルが前述のいずれかの製造方法に従って製造された電池により、上記の課題が解決される。
【００２１】
以下では、本発明の態様を、好ましい実施例に基づいて図面を用いながら詳細に説明する。
【図面の簡単な説明】
【００２２】
【図１】第１の実施例による電気化学セルの製造方法のフロー図である。
【図２】第２の実施例による電気化学セルの製造方法のフロー図である。
【図３】第３の実施例による電気化学セルの製造方法のフロー図である。
【図４】第４の実施例による電気化学セルの製造方法のフロー図である。
【図５】第５の実施例による電気化学セルの製造方法のフロー図である。
【図６】第６の実施例による電気化学セルの製造方法のフロー図である。
【図７】パラメータデータの検出の際の好ましいステップの図である。
【図８】単一の電気化学セルに対する後続の処理の際の好ましいステップの図である。
【発明を実施するための形態】
【００２３】
図１は、第１の実施例による電気化学セルの製造方法のフロー図である。ステップＳ１において、検査対象の電気化学セルのパラメータデータＤＰａｒ．が検出される。ステップＳ２において、パラメータデータＤＰａｒ．が制御部に伝送され、ステップＳ３において、このパラメータデータＤＰａｒ．が電気化学セルに割り当てられる。制御部を用いて、このパラメータデータＤＰａｒ．が、所定のパラメータ値ＷＰａｒ．に対して所定の関係を有しているか否かが決定される。パラメータデータＤＰａｒ．が、所定のパラメータ値ＷＰａｒ．に対して所定の関係を有している場合、この電気化学セルについて、第１の所定の後続の処理ステップＳ５が決定される。そうではなく、パラメータデータＤＰａｒ．が、所定のパラメータ値ＷＰａｒ．に対して所定の関係を有していない場合、この電気化学セルについて、第２の所定の後続の処理ステップＳ５’を任意で決定してもよい。
【００２４】
図２は、第２の実施例による電気化学セルの製造方法のフロー図であり、そのステップＳ１からＳ３は第１の実施例のこれらに対応しており、説明の重複を避けるため該実施例を参照することとする。
【００２５】
制御部を用いて、このパラメータデータＤＰａｒ．が所定の第１のパラメータ値ＷＰａｒ．１を有しているか否かが決定される。パラメータデータＤＰａｒ．が所定の第１のパラメータ値ＷＰａｒ．１を有している場合、この電気化学セルについて、第１の所定の後続の処理ステップＳ５が決定される。そうではなく、パラメータデータＤＰａｒ．が、所定のパラメータ値ＷＰａｒ．１を有していない場合、この電気化学セルについて、第２の所定の後続の処理ステップＳ５’を決定してもよい。
【００２６】
図３は、第３の実施例による電気化学セルの製造方法のフロー図であり、そのステップＳ１からＳ３は第１の実施例のこれらに対応しており、説明の重複を避けるため該実施例を参照することとする。
【００２７】
制御部を用いて、このパラメータデータＤＰａｒ．が所定の第２のパラメータ値ＷＰａｒ．２を有していないか否かが決定される。パラメータデータＤＰａｒ．が所定の第２のパラメータ値ＷＰａｒ．２を有していない場合、この電気化学セルについて、第１の所定の後続の処理ステップＳ５が決定される。そうではなく、パラメータデータＤＰａｒ．が、所定の第２のパラメータ値ＷＰａｒ．２を有している場合、この電気化学セルについて、第２の所定の後続の処理ステップＳ５’を決定してもよい。
【００２８】
図４は、第４の実施例による電気化学セルの製造方法のフロー図であり、そのステップＳ１からＳ３は第１の実施例のこれらに対応しており、説明の重複を避けるため該実施例を参照することとする。
【００２９】
制御部を用いて、このパラメータデータＤＰａｒ．が所定の第３のパラメータ値ＷＰａｒ．３を上回っているか否かが決定される。パラメータデータＤＰａｒ．が所定の第３のパラメータ値ＷＰａｒ．３を上回っている場合、この電気化学セルについて、第１の所定の後続の処理ステップＳ５が決定される。そうではなく、パラメータデータＤＰａｒ．が、所定の第３のパラメータ値ＷＰａｒ．３を上回っていない場合、この電気化学セルについて、第２の所定の後続の処理ステップＳ５’を決定してもよい。
【００３０】
図５は、第５の実施例による電気化学セルの製造方法のフロー図であり、そのステップＳ１からＳ３は第１の実施例のこれらに対応しており、説明の重複を避けるため該実施例を参照することとする。
【００３１】
制御部を用いて、このパラメータデータＤＰａｒ．が所定の第４のパラメータ値ＷＰａｒ．４を上回っていないか否かが決定される。パラメータデータＤＰａｒ．が所定の第４のパラメータ値ＷＰａｒ．４を下回っている場合、この電気化学セルについて、第１の所定の後続の処理ステップＳ５が決定される。そうではなく、パラメータデータＤＰａｒ．が、所定の第４のパラメータ値ＷＰａｒ．４を下回っていない場合、この電気化学セルについて、第２の所定の後続の処理ステップＳ５’を決定してもよい。
【００３２】
図６は、第６の実施例による電気化学セルの製造方法のフロー図であり、そのステップＳ１からＳ３は第１の実施例のこれらに対応しており、説明の重複を避けるため該実施例を参照することとする。
【００３３】
制御部を用いて、このパラメータデータＤＰａｒ．が所定の第５のパラメータ値ＷＰａｒ．５から所定のパラメータ範囲内にあるか否かが決定される。パラメータデータＤＰａｒ．が所定の第５のパラメータ値ＷＰａｒ．５から所定のパラメータ範囲内にある場合、この電気化学セルについて、第１の所定の後続の処理ステップＳ５が決定される。そうではなく、パラメータデータＤＰａｒ．が、所定の第５のパラメータ値ＷＰａｒ．５から所定のパラメータ範囲内にない場合、この電気化学セルについて、第２の所定の後続の処理ステップＳ５’を決定してもよい。
【００３４】
図７は、パラメータデータの検出の際の好ましいステップの図である。図７に示すように、パラメータデータの検出ステップは、好適には平坦に構成される電気化学セルの、特に側面に対する圧力の付加後の、電気化学セルの内部抵抗の変化を検出するステップＳ１ａ、および／または電気化学セルの内部抵抗を検出するステップＳ１ｂ、および／または電気化学セルの内圧を検出するステップＳ１ｃ、および／または電気化学セルの開路電圧を検出するステップＳ１ｄ、および／または電気化学セルの容量を検出するステップＳ１ｅ、および／またはＸ線法を用いて電気化学セルの内部構造を検出するステップＳ１ｆを備えていてもよい。
【００３５】
図８は、単一の電気化学セルについて場合によっては決定される後続の処理の際の好ましいステップの図である。図８に示すように、電気化学セルに対する後続の処理方法は、少なくとも１つの決定ステップＳ４、Ｓ４ａ、Ｓ４ｂ、Ｓ４ｃ、Ｓ４ｄ、Ｓ４ｅの結果に応じて電気化学セルの少なくとも１つの所定の充電処理を選択および実行するステップＳ５ａ、および／または少なくとも１つの決定ステップＳ４、Ｓ４ａ、Ｓ４ｂ、Ｓ４ｃ、Ｓ４ｄ、Ｓ４ｅの結果に応じて電気化学セルの少なくとも１つの所定の硬化処理を選択および実行するステップＳ５ｂ、および／または少なくとも１つの決定ステップＳ４、Ｓ４ａ、Ｓ４ｂ、Ｓ４ｃ、Ｓ４ｄ、Ｓ４ｅの結果に応じて電気化学セルの少なくとも１つの所定の安置処理を選択および実行するステップＳ５ｃ、および／または少なくとも１つの決定ステップＳ４、Ｓ４ａ、Ｓ４ｂ、Ｓ４ｃ、Ｓ４ｄ、Ｓ４ｅの結果に応じて電気化学セルの少なくとも１つの所定の成形処理を選択および実行するステップＳ５ｄ、および／または少なくとも１つの決定ステップＳ４、Ｓ４ａ、Ｓ４ｂ、Ｓ４ｃ、Ｓ４ｄ、Ｓ４ｅの結果に応じて電気化学セルの少なくとも１つの所定の圧廷処理を選択および実行するステップＳ５ｅ、および／または少なくとも１つの決定ステップＳ４、Ｓ４ａ、Ｓ４ｂ、Ｓ４ｃ、Ｓ４ｄ、Ｓ４ｅの結果に応じて電気化学セルの少なくとも１つの所定の塗布処理を選択および実行するステップＳ５ｆ、および／または少なくとも１つの決定ステップＳ４、Ｓ４ａ、Ｓ４ｂ、Ｓ４ｃ、Ｓ４ｄ、Ｓ４ｅの結果に応じて電気化学セルの少なくとも１つの所定のガス抜き処理を選択および実行するステップＳ５ｇを備えていてもよい。
【００３６】
本発明はさらに、これらの電気化学セルを備えた電池、特に、これらの電気化学セルを備え、自動車用途のために構成される電池に関する。
【符号の説明】
【００３７】
Ｓ１  単一の検査対象の電気化学セルのパラメータデータを検出するステップ
Ｓ１ａ  圧力の付加後の電気化学セルの内部抵抗の変化を検出するステップ
Ｓ１ｂ  電気化学セルの内部抵抗を検出するステップ
Ｓ１ｃ  電気化学セルの内圧を検出するステップ
Ｓ１ｄ  電気化学セルの開路電圧を検出するステップ
Ｓ１ｅ  電気化学セルの容量を検出するステップ
Ｓ１ｆ  Ｘ線法を用いて電気化学セルの内部構造を検出するステップ
Ｓ２  パラメータデータを制御部に伝送するステップ
Ｓ３  パラメータデータを電気化学セルに割り当てるステップ
Ｓ４  制御部を用いて所定の関係が存在するか否かを決定するステップ
Ｓ４ａ  伝送されたパラメータデータが所定の第１のパラメータ値を有しているか否かを決定するステップ
Ｓ４ｂ  伝送されたパラメータデータが所定の第２のパラメータ値を有していないか否かを決定するステップ
Ｓ４ｃ  伝送されたパラメータデータが所定の第３のパラメータ値を上回っているか否かを決定するステップ
Ｓ４ｄ  伝送されたパラメータデータが所定の第４のパラメータ値を下回っているか否かを決定するステップ
Ｓ４ｅ  伝送されたパラメータデータが所定の第５のパラメータ値から所定のパラメータ値範囲内にあるか否かを決定するステップ
Ｓ５  電気化学セルの第１の所定の処理ステップを選択および実行するステップ
Ｓ５’  電気化学セルの第２の所定の処理ステップを選択および実行するステップ
Ｓ５ａ  電気化学セルの所定の充電処理を選択および実行するステップ
Ｓ５ｂ  電気化学セルの所定の硬化処理を選択および実行するステップ
Ｓ５ｃ  電気化学セルの所定の安置処理を選択および実行するステップ
Ｓ５ｄ  電気化学セルの所定の成形処理を選択および実行するステップ
Ｓ５ｅ  電気化学セルの所定の圧廷処理を選択および実行するステップ
Ｓ５ｆ  電気化学セルの所定の塗布処理を選択および実行するステップ
Ｓ５ｇ  電気化学セルの所定のガス抜き処理を選択および実行するステップ
【図１】
2014517464.tif 000004
【図２】
2014517464.tif 000005
【図３】
2014517464.tif 000006
【図４】
2014517464.tif 000007
【図５】
2014517464.tif 000008
【図６】
2014517464.tif 000009
【図７】
2014517464.tif 000010
【図８】
2014517464.tif 000011
【国際調査報告】
2014517464.tif 000012
2014517464.tif 000013
2014517464.tif 000014
2014517464.tif 000015